(57)【特許請求の範囲】
【請求項１】
道路および建物が含まれる地図画像を表示する描画データを作成する地図描画手段と、
前記建物に対応する口コミ情報件数の変化の程度を示す変化率を算出する変化率算出手段と、
前記変化率算出手段によって算出された変化率に基づいて、口コミ情報件数の変化の程度が識別可能な描画データを作成する変化率描画手段と、
前記地図描画手段によって作成される描画データと、前記変化率描画手段によって作成される描画データとが入力されており、前記建物毎に、あるいは、表示範囲を複数に分割した各分割領域毎に色分けすることにより、地図画像に口コミ情報件数の変化の程度が識別可能な画像を重ねて表示装置の画面に表示する表示処理手段と、
を備えることを特徴とする地図表示装置。
【請求項２】
請求項１において、
建物毎の口コミ情報件数を集計する口コミ情報件数集計手段をさらに備え、
前記変化率算出手段は、前記口コミ情報件数集計手段によって集計された口コミ情報件数を用いて変化率を算出することを特徴とする地図表示装置。
【請求項３】
請求項２において、
前記建物に対応する一あるいは複数の施設のそれぞれに対応する口コミ情報件数を取得する口コミ情報件数取得手段をさらに備え、
前記口コミ情報件数集計手段は、前記建物に対応する一あるいは複数の施設のそれぞれの口コミ情報件数を合計して前記建物毎の口コミ情報件数を算出することを特徴とする地図表示装置。
【請求項４】
請求項１〜３のいずれかにおいて、
前記変化率算出手段は、表示範囲を複数に分割した各分割領域毎に、各分割領域に含まれる一あるいは複数の前記建物について合計した口コミ情報件数を用いて前記変化率を算出することを特徴とする地図表示装置。
【請求項５】
請求項１〜４のいずれかにおいて、
前記変化率算出手段は、直近の期間Ｍにおける口コミ情報件数に対する直近の期間Ｎ（＜Ｍ）における口コミ情報件数の割合を前記変化率として算出することを特徴とする地図表示装置。
【請求項６】
請求項１〜４のいずれかにおいて、
前記変化率算出手段は、直近の期間Ｎ１における口コミ情報件数とそれ以前の期間Ｎ２における口コミ情報件数とを比較して、直近の期間Ｎ１に対応する前記変化率を算出することを特徴とする地図表示装置。
【発明の詳細な説明】
【技術分野】
【０００１】
本発明は、地図画像に施設等に関する情報を重ねて表示する地図表示装置に関する。
【背景技術】
【０００２】
従来から、地図画面を複数のエリアに分割して各エリア毎に口コミ情報の件数を表示するようにした口コミ情報提供装置（例えば、特許文献１参照。）や、収集した施設毎のＷｅｂ情報（地点情報）の件数を表示するようにした情報閲覧装置（例えば、特許文献２参照。）が知られている。
【先行技術文献】
【特許文献】
【０００３】
【特許文献１】特開２００３−２７１６０７号公報
【特許文献２】特開２００６−１３９４１２号公報
【発明の概要】
【発明が解決しようとする課題】
【０００４】
ところで、特許文献１、２に開示された装置では、ある時点で集計されたエリア毎の口コミ情報の件数や施設毎のＷｅｂ情報の件数が表示されるため、その表示内容を見ただけでは、それらの情報件数が増加傾向にあるのか減少傾向にあるのかがわからないという問題があった。増加傾向にあればそのエリアや施設の注目度が上がっていることになり、反対に減少傾向にあればそのエリアや施設の注目度が下がっていることになるため、情報件数の推移はそのエリアや施設の注目度を示す重要な指標であり、利用者がそのエリアや施設を利用するか否かを決める際に有益な情報といえる。
【０００５】
本発明は、このような点に鑑みて創作されたものであり、その目的は、エリアや建物に対応する情報件数の推移を提示することができる地図表示装置を提供することにある。
【課題を解決するための手段】
【０００６】
上述した課題を解決するために、本発明の地図表示装置は、道路および建物が含まれる地図画像を表示する描画データを作成する地図描画手段と、建物に対応する口コミ情報件数の変化の程度を示す変化率を算出する変化率算出手段と、変化率算出手段によって算出された変化率に基づいて、口コミ情報件数の変化の程度が識別可能な描画データを作成する変化率描画手段と、地図描画手段によって作成される描画データと変化率描画手段によって作成される描画データとが入力されており、建物毎に、あるいは、表示範囲を複数に分割した各分割領域毎に色分けすることにより、地図画像に口コミ情報件数の変化の程度が識別可能な画像を重ねて表示装置の画面に表示する表示処理手段とを備えている。
【０００７】
各建物毎の口コミ情報件数の変化の程度を識別できるように地図画像に重ねて表示を行うことにより、各建物に対応する情報件数の推移を提示することが可能となる。これにより、最近話題になっている建物を容易に知ることができる。
【０００８】
また、建物毎の口コミ情報件数を集計する口コミ情報件数集計手段をさらに備え、変化率算出手段は、口コミ情報件数集計手段によって集計された口コミ情報件数を用いて変化率を算出することが望ましい。さらに、上述した建物に対応する一あるいは複数の施設のそれぞれに対応する口コミ情報件数を取得する口コミ情報件数取得手段をさらに備え、口コミ情報件数集計手段は、建物に対応する一あるいは複数の施設のそれぞれの口コミ情報件数を合計して建物毎の口コミ情報件数を算出することが望ましい。これにより、口コミ情報件数を建物毎に取得し、その変化の程度を建物毎に算出することが可能となる。
【０００９】
また、上述した変化率算出手段は、表示範囲を複数に分割した各分割領域毎に、各分割領域に含まれる一あるいは複数の建物について合計した口コミ情報件数を用いて変化率を算出することが望ましい。これにより、表示範囲に含まれる各分割領域（エリア）毎に口コミ情報件数の推移を提示することが可能となり、最近話題になっているエリアを容易に知ることができる。
【００１０】
また、上述した変化率算出手段は、直近の期間Ｍにおける口コミ情報件数に対する直近の期間Ｎ（＜Ｍ）における口コミ情報件数の割合を変化率として算出することが望ましい。これにより、口コミ情報の中で最近のものの占める割合を知ることができ、建物やエリアの注目度が最近上がっているのか下がっているのかを容易に判断することができる。
【００１１】
また、上述した変化率算出手段は、直近の期間Ｎ１における口コミ情報件数とそれ以前の期間Ｎ２における口コミ情報件数とを比較して、直近の期間Ｎ１に対応する変化率を算出することが望ましい。これにより、口コミ情報件数の時間的な推移を直接知ることができる。
【図面の簡単な説明】
【００１２】
【図１】一実施形態のナビゲーション装置が含まれる口コミ情報表示システムの全体構成を示す図である。
【図２】ナビゲーション装置の詳細構成を示す図である。
【図３】変化率算出の具体例を示す図である。
【図４】変化率算出の他の具体例を示す図である。
【図５】変化率描画の具体例を示す図である。
【図６】変化率描画の他の具体例を示す図である。
【図７】建物毎に色分けした地図画像の表示例を示す図である。
【図８】エリア毎に色分けした地図画像の表示例を示す図である。
【発明を実施するための形態】
【００１３】
以下、本発明の施設検索装置を適用した一実施形態のナビゲーション装置について、図面を参照しながら説明する。図１は、一実施形態のナビゲーション装置が含まれる口コミ情報表示システムの全体構成を示す図である。図１に示す口コミ情報表示システムは、各車両に搭載された車載機としてのナビゲーション装置１００と、ナビゲーション装置１００に対して各施設に対応する口コミ情報やその件数などを提供する口コミ情報サーバ２００とを含んで構成されている。ナビゲーション装置１００と口コミ情報サーバ２００との間は、所定のネットワーク３００を介して接続されている。また、本実施形態におけるネットワーク３００は、移動体電話網やインターネットなどの各種の通信網を含んで構成されている。
【００１４】
次に、ナビゲーション装置１００の詳細構成について説明する。図２は、ナビゲーション装置１００の詳細構成を示す図である。図２に示すように、ナビゲーション装置１００は、ナビゲーションコントローラ１、地図データ記憶装置３、操作部４、車両位置検出部５、表示装置６、通信装置８を含んで構成されている。このナビゲーション装置は、車両に搭載されている。
【００１５】
ナビゲーションコントローラ１は、ＣＰＵ、ＲＯＭ、ＲＡＭ等を用いて所定の動作プログラムを実行することにより、自車位置周辺の地図画像表示動作や各施設に対応する口コミ情報表示などの各種機能を実現する。ナビゲーションコントローラ１の詳細構成については後述する。
【００１６】
地図データ記憶装置３は、地図表示や施設検索などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。地図データ記憶装置３は、ハードディスク装置や半導体メモリによって、あるいは、ＤＶＤとその読み取り装置によって実現される。また、地図データ記憶装置３を通信装置８に置き換えて、外部の地図配信サーバ（図示せず）から地図データを取得するようにしてもよい。
【００１７】
操作部４は、利用者の指示（操作）を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。車両位置検出部５は、例えば、ＧＰＳ受信機、方位センサ、距離センサなどを備えており、所定のタイミングで車両位置（経度、緯度）の検出を行い、検出結果を出力する。
【００１８】
表示装置６は、例えばＬＣＤ（液晶表示装置）によって構成されており、ナビゲーションコントローラ１から出力される映像信号に基づいて自車位置周辺の地図画像などを表示する。通信装置８は、施設毎の口コミ情報の件数データを取得するためものであり、口コミ情報サーバ２００との間でデータ通信を行う。最も一般的には携帯電話や携帯端末装置が通信装置８として用いられるが、近距離通信モジュールや無線ＬＡＮモジュールなどを通信装置８として用いるようにしてもよい。
【００１９】
次に、ナビゲーションコントローラ１の詳細構成について説明する。図２に示すナビゲーションコントローラ１は、地図バッファ１０、地図読出制御部１２、地図描画部１４、車両位置計算部２０、施設抽出部３０、口コミ情報件数取得部３２、口コミ情報件数集計部３４、変化率算出部３６、変化率描画部３８、入力処理部５０、表示処理部６０を含んで構成されている。
【００２０】
上述した地図描画部１４が地図描画手段に、変化率算出部３６が変化率算出手段に、変化率描画部３８が変化率描画手段に、表示処理部６０が表示処理手段に、口コミ情報件数集計部３４が口コミ情報件数集計手段に、口コミ情報件数取得部３２が口コミ情報件数取得手段にそれぞれ対応する。
【００２１】
地図バッファ１０は、地図データ記憶装置３から読み出された地図データを一時的に格納する。この地図データには、地図画像描画に必要なデータや表示範囲に含まれる施設を抽出するために必要なデータが少なくとも含まれる。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。
【００２２】
車両位置計算部２０は、車両位置検出部５から出力される検出データに基づいて自車位置を計算するとともに、計算した自車位置が地図データの道路上にない場合には、自車位置を修正するマップマッチング処理を行う。
【００２３】
施設抽出部３０は、地図バッファ１０に格納された地図データに基づいて、表示範囲に含まれる施設を抽出する。この施設は、必ずしも表示範囲に含まれる全ての施設を対象にする必要はなく、特定のカテゴリ（例えば飲食店など）の施設を対象とするようにしてもよい。また、表示範囲よりも広い範囲に含まれる施設を抽出するようにしてもよい。
【００２４】
口コミ情報件数取得部３２は、施設抽出部３０によって抽出された各施設に対応する口コミ情報の件数を取得する。具体的には、口コミ情報件数取得部３２は、施設抽出部３０によって抽出された各施設を特定する情報と、これらの施設に対応する口コミ情報件数の送信依頼とを通信装置８から口コミ情報サーバ２００に向けて送信する。この送信依頼には、口コミ情報の収集期間が含まれている。口コミ情報サーバ２００では、この送信依頼に基づいて、指定された収集期間に対応する各施設の口コミ情報の件数を抽出してナビゲーション装置１００に向けて送り返す。口コミ情報件数取得部３２は、口コミ情報サーバ２００から送り返されてきた各施設の口コミ情報件数を通信装置８経由で取得する。
【００２５】
口コミ情報件数集計部３４は、建物毎やエリア毎等、表示する単位毎に各施設の口コミ情報件数を集計する。例えば、表示範囲に含まれる建物単位で集計する場合や、表示範囲を複数に分割した各分割領域としてのエリア単位で集計する場合などが考えられる。
【００２６】
（１）建物単位で集計する場合
一般に、評判や評価を内容とする口コミ情報は、飲食店等の店舗毎に収集される。一方、地図画面上では、飲食店等が一軒家の場合を除いて、矩形あるいはその他の図形を用いて建物毎に表示が行われる。このような地図画面上の表示形態に合わせて、建物毎に、すなわち、建物に複数の店舗がテナントとして入っている場合にはこれら複数の店舗のそれぞれに対応する口コミ情報件数を合計して、建物毎の口コミ情報件数が集計される。
【００２７】
（２）エリア単位で集計する場合
一あるいは複数の建物が含まれるエリアを集計単位とすることもできる。エリアの設定は、表示範囲に含まれる道路で区画された領域を一エリアとする場合、複数の建物が含まれる領域を一エリアとする場合などが考えられる。また、一部が表示範囲から外れる領域を一エリアとしてもよい。例えば、車両の走行に伴って表示範囲がスクロールされる場合に、このスクロールによって一エリアが表示範囲に徐々に含まれたり、一エリアが表示範囲から徐々に外れる場合などについては、一部が表示範囲から外れている場合であってもエリア全体を集計単位としてもよい。各エリア毎に、エリアに含まれる施設の口コミ情報件数を合計して、エリア毎の口コミ情報件数が集計される。
【００２８】
変化率算出部３６は、集計単位（建物毎あるいはエリア毎）で口コミ情報件数の変化率を算出する。例えば、Ｍヶ月前から現在までの口コミ情報件数の合計をｍ、Ｎ（＜Ｍ）ヶ月前から現在までの口コミ情報件数の合計をｎとしたときに、ｍに対するｎの割合が口コミ情報件数の変化率として算出される。
【００２９】
図３は、変化率算出の具体例を示す図である。横軸は時間経過（ｔ）を、縦軸は口コミ情報件数の合計値を示している。この例では、ある建物（あるいはエリア）について、Ｍヶ月前（例えば１２ヶ月前）から現在までの口コミ情報件数の合計が２０００件、Ｎヶ月前（例えば１ヶ月前）から現在までの口コミ情報件数の合計が１８７５件となっており、この建物（あるいはエリア）の口コミ情報件数の変化率は９３％（＝１８７５／２０００×１００）となる。直近の１ヶ月に口コミ情報が集中し、口コミ情報件数が急激に増加したことがわかる。
【００３０】
図４は、変化率算出の他の具体例を示す図である。この例では、ある建物（あるいはエリア）について、Ｍヶ月前（例えば１２ヶ月前）から現在までの口コミ情報件数の合計が２０００件、Ｎヶ月前（例えば１ヶ月前）から現在までの口コミ情報件数の合計が０件となっている。この建物（あるいはエリア）の口コミ情報件数の変化率は０％（＝０／２０００×１００）となる。直近の１ヶ月に口コミ情報が全くなく、口コミ情報件数の増加が停止したことがわかる。
【００３１】
変化率描画部３８は、変化率算出部３６によって算出された口コミ情報件数の変化率が地図画面上で識別可能な状態で表示するために必要な変化率画像描画データを作成する。例えば、この変化率画像では、変化率と、直近Ｍヶ月の口コミ情報件数の合計値ｍがわかるように色分けされている。
【００３２】
図５は、変化率描画の具体例を示す図である。図５および後述する図６において、横軸は直近Ｍヶ月の口コミ情報件数の合計値ｍとしての総件数を、縦軸は変化率を示している。この例では、総件数（合計値ｍ）をいくつかの区分に分類し、それぞれの区分毎に異なる色を対応させている。また、同様に変化率をいくつかの区分に分類し、それぞれの区分毎に異なる明度あるいは濃淡を対応させている。図５に示す例では、色の違いがＡ、Ｂ等のアルファベットで示されており、そのれぞれの色における明度あるいは濃淡の違いがＡ、Ｂ等のアルファベットと組み合わされる数字（１、２等）で示されている。
【００３３】
なお、口コミ情報件数の合計値ｍと変化率のそれぞれを利用者が視覚的に識別可能であればよいため、総件数の各区分において２色以上を用いたり、明度や濃淡の代わりに間隔や向きを異ならせたハッチングを用いて変化率の違いを表現するようにしてもよい。
【００３４】
図６は、変化率描画の他の具体例を示す図である。この例では、総件数（合計値ｍ）をいくつかの区分に分類し、それぞれの区分毎に異なる太さの矢印を対応させている。また、同様に変化率をいくつかの区分に分類し、それぞれの区分毎に矢印の角度を異ならせている。なお、この例では矢印の太さや角度を異ならせて総件数や変化率の違いを表現したが、矢印の色や長さなどを異ならせるようにしてもよい。
【００３５】
入力処理部５０は、操作部４から入力される各種の操作指示に対応する動作を行うための命令をナビゲーションコントローラ１内の各部に向けて出力する。
【００３６】
表示処理部６０は、地図描画部１４によって作成される地図画像描画データと、変化率描画部３８によって作成される変化率画像描画データとが入力されており、地図画像に変化率画像を重ねた画像を表示装置６の画面に表示する。
【００３７】
図７は、口コミ情報件数の直近Ｍヶ月の合計値と直近Ｎヶ月の変化率とがわかるように建物毎に色分けした地図画像の表示例を示す図である。図７および後述する図８では、北向きを画面の上方向に合わせて、自車位置周辺の地図画像を表示した例が示されており、各建物が矩形で示されている。図７において、各建物から引き出されたＥ２、Ｃ３等の符号は、図５に示した符号に対応している。なお、図７に示す表示例では各建物毎の色分けができないため着色の代わりに符号を引き出しており、実際の表示例では各建物に図５に示した符号に対応するよう着色がなされている。
【００３８】
図８は、口コミ情報件数の直近Ｍヶ月の合計値と直近Ｎヶ月の変化率とがわかるようにエリア毎に色分けした地図画像の表示例を示す図である。図８において、各エリアから引き出されたＥ２、Ｃ３等の符号は、図５に示した符号に対応している。なお、図８に示す表示例では各エリア毎の色分けができないため着色の代わりに各エリアにハッチングを付した上で符号を引き出しており、実際の表示例では各エリアに図５に示した符号に対応するよう着色（半透明の着色）がなされている。
【００３９】
このように、本実施形態のナビゲーション装置１００では、各建物毎に口コミ情報件数の変化の程度を識別できるように地図画像に重ねて表示を行うことにより、各建物に対応する情報件数の推移を提示することが可能となる。これにより、最近話題になっている建物を容易に知ることができる。
【００４０】
また、建物毎の口コミ情報件数を集計する口コミ情報件数集計部３４や、各建物に対応する一あるいは複数の施設のそれぞれに対応する口コミ情報件数を取得する口コミ情報件数取得部３２を備えることにより、口コミ情報件数を建物毎に取得し、その変化の程度を建物毎に算出することが可能となる。
【００４１】
また、表示範囲を複数に分割した各分割領域毎に、各分割領域に含まれる一あるいは複数の建物について合計した口コミ情報件数を用いて変化率を算出することにより、表示範囲に含まれる各分割領域（エリア）毎に口コミ情報件数の推移を提示することが可能となり、最近話題になっているエリアを容易に知ることができる。
【００４２】
また、直近の期間Ｍにおける口コミ情報件数に対する直近の期間Ｎ（＜Ｍ）における口コミ情報件数の割合を変化率として算出することにより、口コミ情報の中で最近のものの占める割合を知ることができ、建物やエリアの注目度が最近上がっているのか下がっているのかを容易に判断することができる。
【００４３】
なお、本発明は上記実施形態に限定されるものではなく、本発明の要旨の範囲内において種々の変形実施が可能である。例えば、上述した実施形態では、車両に搭載されたナビゲーション装置について説明したが、パーソナルコンピュータやスマートフォンと称される携帯端末等で地図表示用のアプリケーションソフトを実行することにより地図画像表示を行う場合にも本発明を適用することができる。
【００４４】
また、上述した実施形態では、直近のＭヶ月間の口コミ情報件数の合計値ｍに対するＮヶ月間の口コミ情報件数の合計値の占める割合を「口コミ情報件数の変化率」として算出したが、この算出方法はこれに限られない。例えば、直近のＮヶ月（期間Ｎ１）とその前のＮヶ月（期間Ｎ２）の口コミ情報の合計値とを比較して変化率を算出してもよい。直近のＮヶ月の口コミ情報件数の合計値をｎ１、その前のＮヶ月の口コミ情報件数の合計値をｎ２とすると、（ｎ１−ｎ２）／ｎ２×１００が変化率（％）となる。この場合には、変化率がマイナスの場合には口コミ情報件数の減少を示し、プラスの場合には口コミ情報件数の増加を示すことになる。直近の期間Ｎ１における口コミ情報件数とそれ以前の期間Ｎ２における口コミ情報件数とを比較して、直近の期間Ｎ１に対応する変化率を算出することにより、口コミ情報件数の時間的な推移を直接知ることができる。
【００４５】
また、上述した実施形態では、ナビゲーション装置１００に口コミ情報件数集計部３４、変化率算出部３６を備えたが、これらのいずれか一方あるいは両方の動作を口コミ情報サーバ２００において、あるいは、口コミ情報サーバ２００とは別の集計サーバを用いて行い、その結果をナビゲーション装置１００がネットワーク３００経由で取得するようにしてもよい。
【００４６】
また、上述した実施形態では、口コミ情報サーバ２００から口コミ情報件数を取得したが、ソーシャル・ネットワーキング・サービスを提供するサーバ（ＳＮＳサーバ）から発信される口コミ情報を収集してその件数を集計するようにしてもよい。この場合には、口コミ情報件数の集計は、ＳＮＳサーバで行うようにしてもよいし、ＳＮＳサーバとは別の集計サーバで行うようにしてもよいし、ナビゲーション装置１００内の口コミ情報件数取得部３２等が行うようにしてもよい。
【産業上の利用可能性】
【００４７】
上述したように、本発明によれば、各建物毎に口コミ情報件数の変化の程度が識別可能に地図画像に重ねて表示を行うことにより、各建物に対応する情報件数の推移を提示することが可能となる。これにより、最近話題になっている建物を容易に知ることができる。
【符号の説明】
【００４８】
１  ナビゲーションコントローラ
３  地図データ記憶装置
４  操作部
５  車両位置検出部
６  表示装置
８  通信装置
１０  地図バッファ
１２  地図読出制御部
１４  地図描画部
２０  車両位置計算部
３０  施設抽出部
３２  口コミ情報件数取得部
３４  口コミ情報件数集計部
３６  変化率算出部
３８  変化率描画部
５０  入力処理部
６０  表示処理部
１００  ナビゲーション装置
２００  口コミ情報サーバ
３００  ネットワーク
【図１】
0006029843.tif 000002
【図２】
0006029843.tif 000003
【図３】
0006029843.tif 000004
【図４】
0006029843.tif 000005
【図５】
0006029843.tif 000006
【図６】
0006029843.tif 000007
【図７】
0006029843.tif 000008
【図８】
0006029843.tif 000009